(57)【要約】【課題】  記録媒体再生装置において、記録媒体再生装置の自動的な動作状態の変化に対応して表示部の明るさを自動的に調節する。【解決手段】  記録媒体再生装置において、ビデオ情報が記録された記録媒体を再生する記録媒体再生部と、記録媒体再生部の動作状態を示す情報を表示する表示部と、表示部の明るさを調節する調節部と、記録媒体再生部の動作状態に対応付けて表示部の明るさを設定する明るさ設定部と、記録媒体再生部の動作状態を判別し明るさ設定部に設定された明るさに基づいて調節部を制御する制御部とを備える。【選択図】  図１
2006331606.tif 000002
【特許請求の範囲】
【請求項１】
ビデオ情報が記録された記録媒体を再生する記録媒体再生部と、前記記録媒体再生部の動作状態を示す情報を表示する表示部と、前記表示部の明るさを調節する調節部と、前記記録媒体再生部の動作状態に対応付けて前記表示部の明るさを設定する明るさ設定部と、前記記録媒体再生部の動作状態を判別し前記明るさ設定部に設定された明るさに基づいて前記調節部を制御する制御部とを備えることを特徴とする記録媒体再生装置。
【発明の詳細な説明】
【技術分野】
【０００１】
本発明は、ＤＶＤ(Digital Versatile Disc)等のビデオ情報が記録された記録媒体を再生する記録媒体再生装置に関する。
【背景技術】
【０００２】
ＤＶＤプレーヤ等のビデオ情報を出力する記録媒体再生装置は、一般的に、時刻、記録媒体の総再生時間、再生中のビデオ情報の再生時間等を表示するための表示部を備えている。表示部は、表示部の発光素子、バックライト等の明るさを調節する機能を備え、使用者は、明るさ調節ボタンを操作することによって、表示部の明るさを調節することができる。例えば、映画が収録されたＤＶＤを再生して映画を見る場合に、表示部の明るさを暗くし、目障りにならないようにして、映画鑑賞することができる。特許文献１の調光装置は、使用者による再生キーの操作に連動して表示部の明るさを調節する機能を備える。
【０００３】
記録媒体再生装置において、記録媒体の再生の開始から終了までに自動的な動作を行う記録媒体再生装置、例えば、記録媒体のトラック、チャプタ等の記録単位の区切りで自動的に一時停止する装置（特許文献２参照）、予め記録媒体に記録された制御情報に基づいて自動的に一時停止する装置（特許文献３参照）、タイマによって自動的に再生終了する装置等、種々の自動的な動作を行う装置があった。
【０００４】
【特許文献１】特開２０００−２８５５７８号公報
【特許文献２】特開平０６−３４２５８２号公報
【特許文献３】特開平０８−１９５０２１号公報
【発明の開示】
【発明が解決しようとする課題】
【０００５】
従来の記録媒体再生装置、特許文献１の調光装置では、再生キーの手動操作に対応して表示部の明るさを調節する機能を備えていた。しかし、タイマによって予め設定された時刻に行う自動再生等、使用者の操作を必要とせずに記録媒体再生装置の自動的な動作に基づく動作状態の変化に対応して表示部の明るさを調節する機能は備えていなかった。
【０００６】
記録媒体の再生の開始から終了までに自動的な動作を行う記録媒体再生装置、例えば、特許文献２のディスクプレーヤ、特許文献３のデータ再生装置において、動作状態の変化に対応して表示部の明るさを調節する機能は、備えられていなかった。
【０００７】
このように種々の自動的な動作を行う記録媒体再生装置において、映画が収録されたＤＶＤを再生するとき室内の照明を減光したり消灯した状況で、動作状態の変化に対応して表示部の明るさを調節しようとする場合、暗い中で記録媒体再生装置本体の前に行って本体の操作ボタンを探して操作したり、暗い中でリモコンを探して操作したり、又は暗い中でもリモコンをすぐ操作できるように手元に置いておいたり常に手に持っていたりする必要がある。
【０００８】
本発明の目的は、記録媒体再生装置において、記録媒体再生装置の自動的な動作状態の変化に対応して表示部の明るさを自動的に調節することにある。
【課題を解決するための手段】
【０００９】
本発明の請求項１に記載の記録媒体再生装置は、ビデオ情報が記録された記録媒体を再生する記録媒体再生部と、前記記録媒体再生部の動作状態を示す情報を表示する表示部と、前記表示部の明るさを調節する調節部と、前記記録媒体再生部の動作状態に対応付けて前記表示部の明るさを設定する明るさ設定部と、前記記録媒体再生部の動作状態を判別し前記明るさ設定部に設定された明るさに基づいて前記調節部を制御する制御部とを備えるものである。
【発明の効果】
【００１０】
本発明の記録媒体再生装置によれば、記録媒体再生装置の自動的な動作状態の変化に対応して表示部の明るさを自動的に調節することができる。
【発明を実施するための最良の形態】
【００１１】
図１は、本発明の記録媒体再生装置の一実施例の構成を示すブロック図である。記録媒体再生部１は、ＤＶＤ等の記録媒体を再生する。制御部２は、マイクロコンピュータ等で構成され、記録媒体再生部１の動作を制御する。操作部３は、記録媒体再生部１の再生の開始、停止、早送り、早戻し、一時停止等の操作をするための操作ボタン、及び表示部４の明るさを設定するための設定操作ボタンを備え、操作された操作ボタンに基づく信号を制御部２に入力する。表示部４は、制御部２が出力する表示信号に基づいて文字、図形等を表示する。タイマ５は、操作部３によって操作され制御部２を介して予め設定された時刻に基づいて、記録媒体再生部１の再生の開始、停止の動作を制御する。
【００１２】
制御部２は、調節部２ａ、明るさ設定部２ｂ、動作状態検出部２ｃを備える。調節部２ａは、表示部４の明るさを調節する。明るさ設定部２ｂは、記録媒体再生部１の動作状態に対応付けて表示部４の明るさを設定する。明るさ設定部２ｂの設定操作は、操作部３の設定操作ボタン等を用いて行われる。動作状態検出部２ｃは、記録媒体再生部１から入力される再生信号、制御応答信号に基づいて、記録媒体再生部１の動作状態を検出する。
【００１３】
明るさ設定部２ｂにより、記録媒体再生部１の動作状態に対応付けて表示部４の明るさを設定する場合、例えば、記録媒体の再生中には消灯する、又は消灯できない場合には設定可能な最も暗い明るさとする。また、記録媒体の再生を終了したときは表示部４が通常表示する明るさであって日中の自然光の明るさでも表示を視認することができる最も明るい明るさとする。また、記録媒体の再生途中で一時停止の動作状態になったときには、再生中よりは明るく再生終了時よりは暗い、中間の明るさとする。この中間の明るさは、例えば映画鑑賞するために部屋を暗くして記録媒体を再生する途中に一時停止して表示された場合、目にまぶしすぎずに視認できる程度の明るさとして、明るさ設定部２ｂに予め設定する。
【００１４】
記録媒体再生部１の動作状態は、動作状態検出部２ｃによって監視され判別される。動作状態検出部２ｃは、記録媒体再生部１が出力する再生信号、制御部２が記録媒体再生部１に出力する制御信号に応答して記録媒体再生部１が出力する応答信号等によって、記録媒体再生部１の動作状態を判別する。ここで動作状態検出部２ｃは、操作部３に基づく動作状態の変化だけでなく、タイマ５に基づく動作状態の変化も判別できる。制御部２は、判別した記録媒体再生部１の動作状態に基づいて、表示部４の明るさを明るさ設定部２ｂに設定された明るさになるように、調節部２ａを用いて表示部４の明るさを調節する。
【００１５】
ここで、制御部２は、調節部２ａを用いて、記録媒体再生部１の動作状態が記録媒体の再生中であれば、明るさ設定部２ｂに設定された明るさであって動作状態が再生中であるときの明るさに調節する。即ち、表示部４を消灯する。又は消灯できない場合には表示部４を設定可能な最も暗い明るさに調節する。また、動作状態が記録媒体の再生を終了したときであれば、明るさ設定部２ｂに設定された明るさであって動作状態が再生終了であるときの明るさに調節する。即ち、最も明るい明るさに表示部４を調節する。また、記録媒体の再生開始後で再生終了前であって記録媒体再生部１の動作状態が一時停止の動作状態であれば、明るさ設定部２ｂに設定された明るさであって動作状態が一時停止であるときの明るさに調節する。即ち、再生中よりは明るく再生終了時よりは暗い中間の明るさとして予め設定された明るさに表示部４の明るさを調節する。
【図面の簡単な説明】
【００１６】
【図１】本発明の記録媒体再生装置の一実施例の構成を示すブロック図である。
【符号の説明】
【００１７】
１  記録媒体再生部
２  制御部
２ａ  調節部
２ｂ  明るさ設定部
２ｃ  動作状態検出部
３  表示部
４  操作部
５  タイマ
【図１】
2006331606.tif 000003